(57)【要約】【課題】廃石綿をあまり嵩張ることなく処理袋に収容して処理する。【解決手段】廃石綿を収容した処理袋の中から吸引装置により空気を吸引して前記廃石綿を減容化した後、前記処理袋を密閉する廃石綿の処理方法であって、内側に貫通孔部が形成された筒状部を備えたアタッチメントを用い、前記処理袋の開口端部を、前記貫通孔部の内側にて当該貫通孔部の上方へ延出し、前記筒状部の上端縁部にて外側へ折り曲げて下方へ折り返し、前記貫通孔部に、前記吸引装置の吸引口を連通させる。【選択図】図７
2011131217.tif 000002
【特許請求の範囲】
【請求項１】
廃石綿を収容した処理袋の中から吸引装置により空気を吸引して前記廃石綿を減容化した後、前記処理袋を密閉する廃石綿の処理方法であって、
内側に貫通孔部が形成された筒状部を備えたアタッチメントを用い、
前記処理袋の開口端部を、前記貫通孔部の内側にて当該貫通孔部の上方へ延出し、前記筒状部の上端縁部にて外側へ折り曲げて下方へ折り返し、
前記貫通孔部に、前記吸引装置の吸引口を連通させることを特徴とする廃石綿の処理方法。
【請求項２】
前記処理袋の前記開口端部を絞り込む際に、前記処理袋の中から前記廃石綿が前記吸引装置により吸引されるのを防止するためのフィルターを、前記処理袋の内部に収容された前記廃石綿の上に設置することを特徴とする請求項１に記載の廃石綿の処理方法。
【請求項３】
前記処理袋の開口端部を、前記貫通孔部の内側にて当該貫通孔部の上方へ延出し、前記筒状部の上端縁部にて外側へ折り曲げて下方へ折り返す際に、
前記フィルターが前記貫通孔部の下方に配置するように調整することを特徴とする請求項２に記載の廃石綿の処理方法。
【請求項４】
前記フィルターの外形寸法は、前記貫通孔部の内形寸法よりも大きいことを特徴とする請求項２又は３に記載の廃石綿の処理方法。
【請求項５】
前記筒状部は、
内部に前記貫通孔部が形成された内筒部と、
外筒部と、
前記外筒部の下端部から前記内筒部に向けて内方向に張り出されて形成された底部と、  
を有していることを特徴とする請求項１〜４のいずれか１項に記載の廃石綿の処理方法。
【請求項６】
前記内筒部と前記外筒部との間には、当該内筒部を囲むように環状凹部が設けられており、
前記処理袋の開口端部を、前記貫通孔部の内側にて当該貫通孔部の上方へ延出し、前記筒状部の上端縁部にて外側へ折り曲げて下方へ折り返した後に、前記環状凹部にシール材を充填することを特徴とする請求項５に記載の廃石綿の処理方法。
【請求項７】
前記吸引装置は、吸引ホースと当該吸引ホースの先端部に設けられた接続部材を有し、
前記接続部材は、内筒部と外筒部を備え、
前記接続部材の内筒部は、前記筒状部の内筒部の内側に差し込まれ、
前記接続部材の外筒部は、前記環状凹部に充填された前記シール材の中に差し込まれることを特徴とする請求項６に記載の廃石綿の処理方法。
【請求項８】
廃石綿が収容された処理袋の開口部に装着されるアタッチメントであって、内側に貫通孔部が形成された筒状部を備えたアタッチメントと、
前記アタッチメントと接続される吸引口を有し、前記吸引口を通じて前記処理袋の中から空気を吸引して前記廃石綿を減容化する吸引装置と、
を備え、
前記筒状部は、
前記処理袋の開口端部を、前記貫通孔部の内側にて当該貫通孔部の上方へ延出させるための内壁部と、
前記筒状部の上端縁部にて外側へ折り曲げられた前記開口端部を下方へ折り返すための外壁部を有することを特徴とする廃石綿の減容化装置。
【発明の詳細な説明】
【技術分野】
【０００１】
本発明は、廃石綿を処理袋に収容して処理する廃石綿の処理方法およびその減容化装置に関する。
【背景技術】
【０００２】
最近、建物の天井面や壁面などに断熱材として使用されていた石綿が発ガン性を有しているとして問題となっている。このため、現在、建物の天井面や壁面などに使用されている石綿を除去する作業が全国各所にて行われている（特許文献１または２参照）。ここで除去された石綿は、廃石綿として回収されて専用の処理袋に収容されて、指定された処分場にて埋め立て処分されて廃棄されている。
【先行技術文献】
【特許文献】
【０００３】
【特許文献１】特開平０１−１３０７７４号公報
【特許文献２】実開平０７−４３６０５号公報
【発明の概要】
【発明が解決しようとする課題】
【０００４】
ところで、除去作業により回収される廃石綿は、柔らかい繊維状の物質により構成され、複数の繊維が複雑に絡み合った状態となっている。その繊維の隙間には、たくさんの空気が入り込んでいる。このため、回収した廃石綿をそのまま専用の処理袋に収容していたのでは、処理袋に収容された廃石綿が非常に嵩張るといった問題が発生していた。ここで処理袋に収容された廃石綿は、空気を内包したまま処分場へと運搬されるため、運搬効率が悪く、コストアップを招く要因となっていた。また、その処理袋は、そのまま処分場にて埋め立て処分されるため、あまり数多くの処理袋を埋め立て処分することができないといった問題も発生していた。
【０００５】
本発明は、このような事情に鑑みてなされたものであって、その目的は、廃石綿をあまり嵩張ることなく処理袋に収容して処理することにある。
【課題を解決するための手段】
【０００６】
主たる本発明は、廃石綿を収容した処理袋の中から吸引装置により空気を吸引して前記廃石綿を減容化した後、前記処理袋を密閉する廃石綿の処理方法であって、内側に貫通孔部が形成された筒状部を備えたアタッチメントを用い、前記処理袋の開口端部を、前記貫通孔部の内側にて当該貫通孔部の上方へ延出し、前記筒状部の上端縁部にて外側へ折り曲げて下方へ折り返し、前記貫通孔部に、前記吸引装置の吸引口を連通させることを特徴とする廃石綿の処理方法である。
【０００７】
また、他の主たる本発明は、廃石綿が収容された処理袋の開口部に装着されるアタッチメントであって、内側に貫通孔部が形成された筒状部を備えたアタッチメントと、前記アタッチメントと接続される吸引口を有し、前記吸引口を通じて前記処理袋の中から空気を吸引して前記廃石綿を減容化する吸引装置と、を備え、前記筒状部は、前記処理袋の開口端部を、前記貫通孔部の内側にて当該貫通孔部の上方へ延出させるための内壁部と、前記筒状部の上端縁部にて外側へ折り曲げられた前記開口端部を下方へ折り返すための外壁部を有することを特徴とする廃石綿の減容化装置である。
【発明の効果】
【０００８】
本発明によれば、廃石綿をあまり嵩張ることなく処理袋に収容して処理することができる。
【図面の簡単な説明】
【０００９】
【図１】廃石綿を処理袋に収容する作業の一例の説明図である。
【図２】廃石綿を収容した処理袋を収容容器から取り外す様子を示した断面図である。
【図３】収容容器の上端開口部に蓋部材を装着した様子を示した断面図である。
【図４】蓋部材の中央部の周辺構成を拡大して示した断面図である。
【図５】蓋部材に設けられた貫通孔部周辺の構成を説明した平面図である。
【図６】内筒部と外筒部との間の環状凹部の中にシール材を充填した様子を示した断面図である。
【図７】吸引装置の吸引口を蓋部材に接続した様子を示した断面図である。
【図８】処理袋に収容された廃石綿が減容化された様子を示す断面図である。
【図９】アタッチメントの他の第１実施形態を説明した断面図である。
【図１０】アタッチメントの他の第２実施形態を説明した平面図である。
【発明を実施するための形態】
【００１０】
本明細書及び図面には、少なくとも、次の発明が開示されている。
【００１１】
廃石綿を収容した処理袋の中から吸引装置により空気を吸引して前記廃石綿を減容化した後、前記処理袋を密閉することを特徴とする廃石綿の処理方法。  
このような廃石綿の処理方法によれば、廃石綿を収容した処理袋の中から吸引装置により空気を吸引することで、処理袋に収容された廃石綿を簡単に減容化することができる。これにより、廃石綿が嵩張らずに済むため、処分場までの運搬効率や処分場における処分効率が高まり、コストの削減を図ることができる。
【００１２】
かかる廃石綿の処理方法にあっては、前記処理袋の中から空気を吸引する際に、前記処理袋の中から前記廃石綿が前記吸引装置により吸引されるのを防止するためのフィルターを前記処理袋の内部に配置しても良い。  
このような廃石綿の処理方法によれば、処理袋の中から空気を吸引する際に、処理袋の中から廃石綿が吸引装置により吸引されるのを防止するためのフィルターを処理袋の内部に配置することで、処理袋に収容された廃石綿が吸引装置により吸引されるのを防ぐことができる。
【００１３】
また、かかる廃石綿の処理方法にあっては、前記処理袋の中から空気を吸引する際に、前記処理袋の開口部に、前記吸引装置の吸引口と接続されるアタッチメントを装着しても良い。  
このような廃石綿の処理方法によれば、処理袋の中から空気を吸引する際に、処理袋の開口部に、吸引装置の吸引口と接続されるアタッチメントを装着することで、処理袋の開口部を吸引装置の吸引口にアタッチメントを介して簡単に接続することができる。
【００１４】
また、かかる廃石綿の処理方法にあっては、前記アタッチメントが、前記処理袋を収容する収容容器の蓋部に設けられていても良い。  
このような廃石綿の処理方法によれば、アタッチメントが、処理袋を収容する収容容器の蓋部に設けられれば、処理袋の開口部にアタッチメントを簡単に装着することができる。
【００１５】
また、かかる廃石綿の処理方法にあっては、前記処理袋の中から空気を吸引する前に、前記廃石綿を粉砕しても良い。このように処理袋の中から空気を吸引する前に、廃石綿が粉砕すれば、より効率よく処理袋の中に廃石綿を収容することができる。
【００１６】
また、本発明の廃石綿の減容化装置は、廃石綿が収容された処理袋の開口部に装着されるアタッチメントと、前記アタッチメントと接続される吸引口を有し、前記吸引口を通じて前記処理袋の中から空気を吸引して前記廃石綿を減容化する吸引装置と、を備えたことを特徴とする。  
このような廃石綿の減容化装置によれば、廃石綿が収容された処理袋の開口部にアタッチメントを装着して、このアタッチメントに吸引装置の吸引口を接続することで、廃石綿が収容された処理袋の中から簡単に空気を吸引することができる。これにより、処理袋に収容された廃石綿を減容化することができる。このことから、廃石綿が嵩張らずに済むため、処分場までの運搬効率や処分場における処分効率が高まり、コストの削減を図ることができる。
【００１７】
かかる廃石綿の減容化装置にあっては、前記アタッチメントと前記吸引口との間に、前記アタッチメントと前記吸引口とが接続されたときに、前記アタッチメントと前記吸引口との間に生じる隙間を塞ぐための構造部が設けられても良い。このような構造部が設けられれば、前記アタッチメントと前記吸引口との間に生じる隙間を簡単に塞ぐことができる。
【００１８】
以下に、本発明の廃石綿の処理方法およびその減容化装置の実施の形態について説明する。
【００１９】
本実施形態の廃石綿の処理方法にあっては、建物の天井面や壁面などから除去された石綿を廃石綿として回収して処理袋に収容する。そして、このようにして処理袋に廃石綿を収容し終えた後、処理袋を密閉する。このとき、廃石綿を収容した処理袋の中から空気を吸引する。空気の吸引は、吸引装置により行う。このように処理袋の中から空気を吸引することによって、処理袋に収容された廃石綿の減容化を図る。
【００２０】
図１は、廃石綿２を処理袋４に収容する作業について説明したものである。ここでは、同図に示すように、処理袋４が収容容器６にセットされて、この収容容器６にセットされた処理袋４の中に、建物の天井面や壁面などから除去されて回収された廃石綿２を手作業等により順次詰め込む。ここで、処理袋４がセットされる収容容器６は、例えば、同図に示すような、底部が閉塞され、上端部が開放された断面凹形の中空筒体状の容器である。この収容容器６としては、一般的に生ゴミなどを収容するポリ容器などを用いることができる。また、処理袋４は、廃石綿２を回収する専用の袋である。処理袋４は、この収容容器６の内側に配置されて、その開口端部４ａが収容容器６の上端周縁部６ａにて折り返されて収容容器６にセットされる。これによって、処理袋４を収容容器６に装着して、回収した廃石綿２を簡単に処理袋４に詰め込むことができる。
【００２１】
そして、収容容器６にセットされた処理袋４に順次廃石綿２を詰め込んだ後、処理袋４に詰め込まれた廃石綿２が一杯になったときには、処理袋４を収容容器６から取り外す。このときに、廃石綿２が収容された処理袋４の中から空気を吸引する。
【００２２】
図２は、廃石綿２を収容した処理袋４を収容容器６から取り外すときの様子を説明したものである。処理袋４は、その開口端部４ａが収容容器６の上端周縁部６ａから分離されて、収容容器６から取り外される。処理袋４の開口部４ａは、同図に示すように小さく絞り込まれる。ここで、本実施形態では、処理袋４の開口部４ａを絞り込む際に、処理袋４の内部に収容された廃石綿２の上に、フィルター８を設置する。
【００２３】
このフィルター８は、処理袋４の中から空気を吸引するときに、処理袋４の中から廃石綿２が一緒に吸引されないように阻止するためのものである。これによって、廃石綿２が処理袋４の中から漏出するのを防止する。このフィルター８としては、例えば、鉢植えの鉢底に配置される鉢底ネットをはじめとする各種ネットや網材などといった、空気が流通可能な通気孔が設けられたものを使用することができる。この他に、フィルター８としては、通気性を有する多孔質材料等を用いることができる。本実施形態では、このフィルター８は、処理袋４の中から空気を吸引する際に、処理袋４の中の廃石綿２と吸引装置の吸引口（図示外）との間に介在するように配置される。
【００２４】
このようにして廃石綿２を収容した処理袋４の中にフィルター８を配置した後、処理袋４の中から空気を吸引する。処理袋４の中から空気を吸引する場合には、本実施形態では、収容容器６の上端開口部６ｂに蓋部材１０を装着する。図３は、収容容器６の上端開口部６ｂに蓋部材１０を装着したときの様子を説明したものである。
【００２５】
この蓋部材１０は、同図に示すように、収容容器６の上端開口部６ｂを閉塞するために収容容器６の上端開口部６ｂに装着されるものである。この蓋部材１０は、収容容器６の上端開口部６ｂの形状に対応して、例えば、円板状等に成形される。本実施形態では、この蓋部材１０の中央部は、蓋部材１０の外周縁部よりも盛り上がっており、その中央部には、当該蓋部材１０を上下に貫通する貫通孔部１２が形成されている。この貫通孔部１２には、収容容器６の内部の廃石綿２を収容した処理袋４の開口端部４ａが挿通される。以下に、この貫通孔部１２の周辺の構成について詳しく説明する。
【００２６】
図４は、貫通孔部１２の周辺を拡大して示したものである。貫通孔部１２は、同図に示すように、蓋部材１０の中央部に上方に突出して一体的に設けられた筒状部１４の内側に形成されている。この筒状部１４は、蓋部材１０に連接して設けられた内筒部１４ａと、この内筒部１４ａの外側に一体的に形成された外筒部１４ｂとを有している。貫通孔部１２は、内筒部１４ａの内部にこれを上下方向に貫いて形成されている。一方、外筒部１４ｂは、その下端部から内方向に張り出されて形成された底部１４ｃを通じて内筒部１４ａに一体的に形成されている。図５は、この筒状部１４を上方から見たときの様子を示したものである。筒状部１４の内筒部１４ａおよび外筒部１４ｂは、図５に示すように、相互に間隔をあけて同軸状に配置されている。また、これら内筒部１４ａと外筒部１４ｂとの間には、図４および図５に示すように、内筒部１４ａを取り囲むように環状凹部１４ｄが形成されている。
【００２７】
本実施形態では、貫通孔部１２に挿通された処理袋４の開口端部４ａは、貫通孔部１２を通じてその上方へと延出されている。そして、貫通孔部１２の上方へと延出された処理袋４の開口端部４ａは、内筒部１４ａの上端縁部１４ｅを通じて外側へと折り曲げられて、そこから下方へと折り返されている。これによって、処理袋４の開口端部４ａが蓋部材１０に固定されている。このときに、同図に示すように、処理袋４の内部の廃石綿２の上に設置されたフィルター８が貫通孔部１２の下方に配置されるように位置を調整する。なお、フィルター８の外形寸法は、蓋部材１０に設けられた貫通孔部１２の内形寸法よりも十分に大きく設定されているのが好ましい。
【００２８】
このようにして貫通孔部１２に挿通された処理袋４の開口端部４ａを内筒部１４ａの上端縁部１４ｅにて折り返して処理袋４の開口端部４ａを蓋部材１０に固定した後、処理袋４の開口端部４ａが収容された環状凹部１４ｄの内側にシール材１６を充填する。図６は、環状凹部１４ｄの中にシール材１６を充填したときの様子を示したものである。
【００２９】
ここで、このシール材１６としては、例えば、水道水等の各種液体物や粘性を有するゼリー状物などの周知の充填材をはじめとする各種シール材を利用することができる。本実施形態では、このシール材１６は、処理袋４の開口端部４ａが十分に浸る位の高さになるまで充填される。
【００３０】
このようにして環状凹部１４ｄにシール材１６を充填した後、この蓋部材１０に設けられた筒状部１４に、廃石綿２を収容した処理袋４の中から空気を吸引する吸引装置の吸引口を接続する。図７は、吸引装置（図示外）の吸引口１８を蓋部材１０の筒状部１４に接続したときの様子を示したものである。なお、ここでは、この蓋部材１０に設けられた筒状部１４が、吸引装置の吸引口１８と接続されるアタッチメントとして機能している。
【００３１】
ここで、吸引装置としては、例えば、真空掃除機などの空気の吸引が可能な各種吸引装置を用いることができる。この吸引装置にあっては、フレキシブルに変形可能な可撓性を有する吸引ホース２０を備え、この吸引ホース２０を通じて空気を吸引する。空気を吸引する吸引口１８は、吸引ホース２０の先端部に設けられている。
【００３２】
本実施形態では、この吸引口１８が、吸引ホース２０の先端部に設けられた接続部材２２に設けられている。この接続部材２２は、収容容器６の蓋部材１０に設けられた筒状部１４と接続するために、吸引ホース２０の先端部に一体的に設けられたものである。この接続部材２２は、内筒部２２ａと外筒部２２ｂとを有している。内筒部２２ａの上端部は、吸引ホース２０の先端部に接続されている。また、内筒部２２ａの内部には、吸引ホース２０の内部と連通された吸引路２２ｃが設けられている。この吸引路２２ｃは、内筒部２２ａの下端部に設けられた吸引口１８に連通している。また、内筒部２２ａの下端部は、蓋部材１０の筒状部１４の内筒部１４ａの内側に差し込まれる。これにより、吸引ホース２０の先端部に設けられた接続部材２２と、収容容器６の蓋部材１０の筒状部１４とが接続されて、吸引ホース２０の内部に連通された吸引口１８と、蓋部材１０の貫通孔部１０とが連通される。したがって、廃石綿２を収容した処理袋４の中から吸引装置により空気を吸引することができる。
【００３３】
一方、外筒部２２ｂは、内筒部２２ａの外側にこれを取り囲むように形成されたものである。この外筒部２２ｂは、その上端部から内方向に向けて延出されて形成された連結部２２ｄを介して内筒部２２ａの外周部に一体的に連結されている。外筒部２２ｂの下方部は、筒状部１４に形成された環状凹部１４ｄの内側に挿入される。すなわち、ここでは、外筒部２２ｂの下方部は、環状凹部１４ｄに充填されたシール材１６の中に差し込まれる。これによって、吸引ホース２０の先端部の接続部材２２と、収容容器６の蓋部材１０の筒状部１４との間の隙間を確実に閉塞することができる。つまり、吸引ホース２０の先端部の接続部材２２と、収容容器６の蓋部材１０の筒状部１４との間の隙間を通じて空気が漏れないようにすることができる。このことから、廃石綿２を収容した処理袋４の中から吸引装置により空気をスムーズに吸引することができる。
【００３４】
なお、ここで、外筒部２２ｂは、筒状部１４と吸引口１８とが接続されたときに、筒状部１４と吸引口１８との間に生じる隙間を塞ぐための構造部として機能する。また、筒状部１４に設けられた外筒部１４ｂも、筒状部１４と吸引口１８とが接続されたときに、筒状部１４と吸引口１８との間に生じる隙間を塞ぐための構造部として機能する。つまり、このように接続部材２２の外筒部２２ｂと筒状部１４の外筒部１４ｂとが、筒状部１４と吸引口１８との間に生じる隙間を塞ぐための構造部として設けられていることで、これら接続部材２２の外筒部２２ｂと筒状部１４の外筒部１４ｂとの間にシール材１６を充填して、筒状部１４と吸引口１８との間に生じる隙間を簡単に塞ぐことができる。
【００３５】
また、本実施形態では、同図中の拡大図に示すように、筒状部１４の内筒部１４ａの上端縁部１４ｅに予めクッション材等の緩衝材２４が設けられている。このため、筒状部１４の内筒部１４ａの上端縁部１４ｅと、接続部材２２の連結部２２ｄとの間に、処理袋４の開口端部４ａが挟み込まれて損傷してしまうのを防止することができる。
【００３６】
このようにして収容容器６の蓋部材１０の筒状部１４と、吸引装置の吸引ホース２０の先端部に設けられた接続部材２２とを相互に接合した後、吸引装置を作動させて、処理袋４の中から空気を吸引する。このように廃石綿２を収容した処理袋４の中から空気を吸引すると、処理袋４が徐々に収縮される。そして、処理袋４に収容された廃石綿２の繊維の隙間から、この隙間に入り込んでいる空気が吸い取られて、処理袋４に収容された廃石綿２が減容化される。図８は、処理袋４に収容された廃石綿２が減容化された様子を示したものである。このことから、処理袋４に収容された廃石綿２の大幅な減容化を図ることができる。
【００３７】
このようにして廃石綿２を収容した処理袋４の中から十分に空気を吸引した後、吸引装置を停止して、吸引作業を終了する。そして、吸引装置の吸引ホース２０の先端部に設けられた接続部材２２を、収容容器６の蓋部材１０の筒状部１４から分離する。このようにして接続部材２２を分離した後、減容化された廃石綿２を収容した処理袋４の開口端部４ａを筒状部１４から取り外して、処理袋４の開口端部４ａを封口して、処理袋４を密閉する。このとき、例えば、処理袋４の開口端部４ａをひねって、空気が入り込まないようにしてからビニールテープなどで密閉すれば、簡単に封口作業を済ませることができる。
【００３８】
そして、このように廃石綿２を収容した処理袋４を密閉した後、洗浄室内にて付着している石綿粉塵を払い落とし、その後、洗浄室外にてさらにもう１枚の清浄な処理袋４の中に収容して２重に密閉してから一時保管場所に集積する。そして、廃石綿２を収容して密閉した処理袋４を数袋まとめて別の処理袋に詰め込み、密封してからトラックなどにより処分場まで運搬する。このとき、処理袋４に収容された廃石綿２は十分に減容化されているから、廃石綿２を収容した処理袋４を数多くトラックに積み込むことができる。これによって、運搬コストの大幅な削減を図ることができる。また、処分場では、廃石綿２を収容した処理袋４を数多く埋め立て処分することができる。このことから、廃石綿２を収容した処理袋４の埋め立てコストの大幅な削減をも図ることができる。
【００３９】
図９は、処理袋４の開口端部４ａに装着されるアタッチメント２６の他の第１実施形態を示したものである。このアタッチメント２６は、前述したように、収容容器６の蓋部材１０に一体的に設けられたものではなく、蓋部材１０とは別体に設けられたものである。
【００４０】
このアタッチメント２６は、同図に示すように、前述した実施形態と同様の筒状部１４を有している。このアタッチメント２６の下端部には、筒状部１４の内筒部１４ａの下端部から外側に向かって斜め下方へと延出して一体的に形成されたフランジ部２６ａが設けられている。
【００４１】
このような構成のアタッチメント２６は、廃石綿２を収容した処理袋４から空気を吸引するときに、収容容器６の上端開口部６ｂに装着された蓋部材１０の中央部の上に設置される。蓋部材１０の中央部には、前述した実施形態と同様に、当該蓋部材１０を貫通する貫通穴部２７が設けられている。アタッチメント２６の下端部に設けられたフランジ部２６ａは、その外形寸法が蓋部材１０の貫通穴部２７の内形寸法よりも十分に大きく設定されている。これにより、フランジ部２６ａは、蓋部材１０の貫通穴部２７を塞ぐように蓋部材１０の中央部上に配置することができる。このことから、アタッチメント２６を蓋体１０の貫通穴部２７の真上に設置することができる。
【００４２】
アタッチメント２６の筒状部１４の内筒部１４ａの内部の貫通孔部１２には、廃石綿２を収容した処理袋４の開口端部４ａが挿通されてから内筒部１４ａの上端縁部１４ｅにて折り返されて、処理袋４の開口端部４ａがアタッチメント２６に固定される。
【００４３】
このようにアタッチメント２６が、蓋部材１０とは別体に形成されていることで、廃石綿２を収容した処理袋４の開口端部４ａに対してより簡単にアタッチメント２６を装着することができる。
【００４４】
さらに、図１０は、アタッチメント２６の他の第２実施形態を示したものである。このアタッチメント２６には、同図に示すように、切欠き部２８が設けられている。この切欠き部２８は、筒状部１４の内筒部１４ａの内側の貫通孔部１２に、処理袋４の開口端部４ａを収容し易くするために設けられたものである。この切欠き部２８は、アタッチメント２６のフランジ部２６ａの外縁部から筒状部１４の内縁部、即ち、筒状部１４の内筒部１４ａの内側の貫通孔部１２にかけて形成されている。このような切欠き部２８がアタッチメント２６に設けられていることで、処理袋４の開口端部４ａを筒状部１４の内筒部１４ａの内側の貫通孔部１２に簡単に収容することができる。
【００４５】
以上本実施形態の廃石綿２の処理方法にあっては、廃石綿２を収容した処理袋４の中から吸引装置により空気を吸引するため、処理袋４に収容された廃石綿２の減容化を図ることができ、これによって、廃石綿２を収容した処理袋４の運搬効率や埋め立て処分場における処分効率を改善することができ、大幅なコストダウンを達成することができる。
【００４６】
なお、ここでは、廃石綿２を収容する処理袋４を収容容器６にセットして、処理袋４に廃石綿２を詰め込んでいたが、処理袋４は、必ずしもこのように収容容器６にセットされる必要はない。
【００４７】
また、ここでは、アタッチメント２６として、収容容器６の上端開口部６ｂに装着される蓋部材１０に設置されていたが、アタッチメント２６は、必ずしもこのような蓋部材１０に設置される必要はない。
【００４８】
また、ここでは、廃石綿２を収容した処理袋４の中から空気を吸引するときに、処理袋４の開口端部４ａに吸引装置の吸引口１８を接続していたが、処理袋４の中から空気を吸引する場合には、必ずしもこのように処理袋４の開口端部４ａから空気を吸引する必要はない。
【００４９】
また、ここでは、廃石綿２を収容した処理袋４の中から空気を吸引する際に、処理袋４の中の廃石綿２の上にフィルター８を設置していたが、フィルター８については必ずしもこのように廃石綿２の上に設置される必要はない。すなわち、例えば、吸引口１８の付近等に予め設けられていても良い。
【００５０】
また、廃石綿２を収容した処理袋４の中から空気を吸引する前に、廃石綿２を、例えば、ハンドミキサー等により粉砕すると良い。この場合、ハンドミキサー等により粉砕する作業は、例えば、図１に示すように処理袋４に廃石綿４を収容した状態にて行っても良く、また、処理袋４に廃石綿４を収容する前に、別の収容容器の中に収容された状態にて行っても良い。
【符号の説明】
【００５１】
２  廃石綿                            ４  処理袋
４ａ  開口端部                        ６  収容容器
６ａ  上端周縁部                      ６ｂ  上端開口部
８  フィルター                        １０  蓋部材
１２  貫通孔部                        １４  筒状部
１４ａ  内筒部                        １４ｂ  外筒部
１４ｃ  底部                          １４ｄ  環状凹部
１４ｅ  上端縁部                      １６  シール材
１８  吸引口                          ２０  吸引ホース
２２  接続部材                        ２２ａ  内筒部
２２ｂ  外筒部                        ２２ｃ  吸引路
２２ｄ  連結部                        ２４  緩衝材
２６  アタッチメント                  ２６ａ  フランジ部
２７  貫通穴部                        ２８  切欠き部
【図１】
2011131217.tif 000003
【図２】
2011131217.tif 000004
【図３】
2011131217.tif 000005
【図４】
2011131217.tif 000006
【図５】
2011131217.tif 000007
【図６】
2011131217.tif 000008
【図７】
2011131217.tif 000009
【図９】
2011131217.tif 000010
【図１０】
2011131217.tif 000011
【図８】
2011131217.tif 000012